(57)【要約】【課題】使用されていない指針の見え方を改善することの出来るアナログ電子時計を提供する。【解決手段】第１指針と、この第１指針と同一軸に対して回転し、同一位置を指し示すことで第１指針の下部に覆い隠される形状を有する第２指針と、第１指針及び第２指針の回動を各々独立に制御する回動制御手段と、を備え、回動制御手段は、第２指針により所定の機能に係る表示を行わせない場合には、第１指針の移動タイミングに対応して第２指針を動作させて、第２指針に第１指針と同一位置を指し示させる。【選択図】図５
2014059267.tif 000002
【特許請求の範囲】
【請求項１】
第１指針と、
前記第１指針と同一軸に対して回転し、同一位置を指し示すことで当該第１指針の下部に覆い隠される形状を有する第２指針と、
前記第１指針及び前記第２指針の回動を各々独立に制御する回動制御手段と
を備え、
前記回動制御手段は、前記第２指針により所定の機能に係る表示を行わせない場合には、前記第１指針の移動タイミングに対応して前記第２指針を動作させて、当該第２指針に前記第１指針と同一位置を指し示させる
ことを特徴とするアナログ電子時計。
【請求項２】
前記第１指針は、それぞれ異なる時刻単位で時刻を表示するための複数の時刻指針のうち、最も大きい時刻単位で時刻を表示するための指針である
ことを特徴とする請求項１記載のアナログ電子時計。
【請求項３】
前記第１指針と前記第２指針の組み合わせを複数備えることを特徴とする請求項１記載のアナログ電子時計。
【請求項４】
ユーザ操作を受け付ける操作手段を備え、
前記回動制御手段は、前記操作手段への入力操作に基づいて前記第２指針に前記所定の機能に係る表示を行わせた後、所定の時間が経過すると、当該第２指針を前記第１指針と同一位置へ移動させる
ことを特徴とする請求項１〜３の何れか一項に記載のアナログ電子時計。
【請求項５】
前記第２指針は、少なくとも先端部分の所定範囲が前記第１指針とは異なる色に彩色されていることを特徴とする請求項１〜４の何れか一項に記載のアナログ電子時計。
【発明の詳細な説明】
【技術分野】
【０００１】
この発明は、アナログ電子時計に関する。
【背景技術】
【０００２】
以前より、時針、分針、及び、秒針といった時刻指針以外の指針（機能針）を備え、この機能針を時刻指針とは別個に回動させることで、時刻表示とは異なる他の機能に係る表示を可能としたり、複数の機能に係る表示のうち、何れについての表示を行っているかを示したりすることが出来るアナログ電子時計がある。
【０００３】
近年、腕時計のような小型のアナログ電子時計においても、時刻指針と同様、時計文字盤の略中央に機能針の回転軸を配置し、時刻指針と機能針とが同心円上を回転可能としたものが開発されている（例えば、特許文献１）。このような指針配置を可能とすることによって、アナログ電子時計の多機能化と、表示デザインの多様化とが並列的に実現される。
【先行技術文献】
【特許文献】
【０００４】
【特許文献１】特開２０１１−１４１２１８号公報
【発明の概要】
【発明が解決しようとする課題】
【０００５】
しかしながら、機能針は、多様な機能に係る表示に必要な場合のみ回転移動されて、通常の時刻表示が行われている間には使用されなかったり、曜日表示位置や時刻表示中であることを示す位置で長時間停止状態にあったりすることが多い。従って、日常的には、デザイン上却って障害になったり、ユーザが時刻を読み取る際にむしろ邪魔になったりする場合があるという課題がある。
【０００６】
この発明の目的は、使用されていない指針の見え方を改善することの出来るアナログ電子時計を提供することにある。
【課題を解決するための手段】
【０００７】
本発明は、上記目的を達成するため、
第１指針と、
前記第１指針と同一軸に対して回転し、同一位置を指し示すことで当該第１指針の下部に覆い隠される形状を有する第２指針と、
前記第１指針及び前記第２指針の回動を各々独立に制御する回動制御手段と
を備え、
前記回動制御手段は、前記第２指針により所定の機能に係る表示を行わせない場合には、前記第１指針の移動タイミングに対応して前記第２指針を動作させて、当該第２指針に前記第１指針と同一位置を指し示させる
ことを特徴とするアナログ電子時計である。
【発明の効果】
【０００８】
本発明に従うと、アナログ電子時計において、使用されていない指針の見え方を改善することが出来るという効果がある。
【図面の簡単な説明】
【０００９】
【図１】本発明の実施形態のアナログ電子時計の正面図である。
【図２】アナログ電子時計の３時９時方向断面図である。
【図３】アナログ電子時計の内部構成を示すブロック図である。
【図４】表示処理の制御手順を示すフローチャートである。
【図５】時刻表示状態における指針の表示例を示す図である。
【図６】受信表示処理の制御手順を示すフローチャートである。
【図７】指針による表示例を示す図である。
【図８】曜日表示処理の制御手順を示すフローチャートである。
【図９】方位表示処理の制御手順を示すフローチャートである。
【図１０】アナログ電子時計の変形例を示す平面図である。
【発明を実施するための形態】
【００１０】
以下、本発明の実施の形態を図面に基づいて説明する。
図１は、本発明の実施形態のアナログ電子時計１の正面図である。
【００１１】
アナログ電子時計１は、ケーシング１０に繋がれたバンド１４ａ、１４ｂを備える腕時計である。このアナログ電子時計１では、ケーシング１０の内部で文字盤１１と前面を覆う図示略の風防ガラスとの間の空間に、時針２（第１指針）と、分針３と、秒針４と、影針５（第２指針）と（以下、まとめて指針２〜５とも記す）が回転可能に設けられている。また、文字盤１１の下部には、日車６が設けられ、日車６上に配列された日付標識のうち１つが文字盤１１の開口部１１０から選択的に露出される。風防ガラスの周縁部には、ベゼル１３が設けられ、また、ケーシング１０の側面には、３個の押しボタンスイッチＢ１〜Ｂ３と、リューズＣ１とが設けられている。
【００１２】
文字盤１１の周縁部には、時刻を表示するための目盛が設けられている。また、この目盛で９分の方向から２１分の方向にかけて、曜日を示す標識が順番に配列されて設けられている。また、５分の方向には、電波の受信中であることを示すための標識「Ｒ／Ｃ」が設けられている。
【００１３】
図２は、アナログ電子時計１を、３時方向と９時方向とを結ぶ線で切断した場合の断面図である。
【００１４】
文字盤１１上に設けられた４本の指針は、上から、秒針４、分針３、時針２、影針５の順番で設けられている。図１に示したように、本実施形態のアナログ電子時計１において、影針５は、時針２と同一形状を有し、影針５と時針２とが同一の方向を指し示す場合には、影針５は、時針２に隠される。また、この影針５の少なくとも先端部分は、時針２と異なる色、例えば、赤色に彩色されている。
【００１５】
日車６は、文字盤１１の下部に、文字盤１１と略平行に設けられた円環状のディスクであり、日車６の回転軸が時針２、分針３、秒針４、及び、影針５と同一の位置となるように配置されている。
【００１６】
図３は、アナログ電子時計１の内部構成を示すブロック図である。
アナログ電子時計１は、輪列機構２２を介して時針２を回転させる時針駆動部３２と、輪列機構２３を介して分針３を回転させる分針駆動部３３と、輪列機構２４を介して秒針４を回転させる秒針駆動部３４と、輪列機構２５を介して影針５を回転させる影針駆動部３５と、輪列機構２６を介して日車６を回転させる日車駆動部３６と、回動制御手段としてのＣＰＵ４１（Central Processing Unit）と、ＲＯＭ４２（Read Only Memory）と、ＲＡＭ４３（Random Access Memory）と、発振回路４４と、分周回路４５と、計時回路４６と、電源部５１と、操作部５２（操作手段）と、アンテナ５３と、電波受信部５４と、方位センサ５５などを備える。
【００１７】
発振回路４４は、所定の周波数、例えば、１．６３８４ＭＨｚの周波数信号を発生して分周回路４５に出力する。分周回路４５は、発振回路４４から入力された周波数信号を設定された分周比で分周して、ＣＰＵ４１及び計時回路４６により利用される各種設定周波数の信号を生成し、ＣＰＵ４１及び計時回路４６に出力する。
【００１８】
計時回路４６は、所定周波数の信号の入力回数をカウントして初期時刻に加算していくことで時刻を計数するカウンタである。この計時回路４６による時刻の計数は、時針２、分針３、及び、秒針４（以降、時刻指針２〜４とも記す）による時刻の表示とは独立に行われる。また、計時回路４６の計数する時刻データは、ＣＰＵ４１からの修正命令に基づいて修正可能となっている。
【００１９】
ＣＰＵ４１は、アナログ電子時計１の動作全体を統括制御し、また、種々の演算処理を行う。ＣＰＵ４１は、時刻表示状態では、計時回路４６から入力された時刻データ信号に基づいて時針駆動部３２、分針駆動部３３、秒針駆動部３４、影針駆動部３５、及び、日車駆動部３６（以降、駆動部３２〜３６とも記す）に駆動制御信号を出力する。また、ＣＰＵ４１は、各種表示機能に応じて駆動部３２〜３６の一部または全部に対し、時刻表示位置とは異なる位置に指針２〜５、及び、日車６を移動させるための駆動制御信号を出力する。
【００２０】
ＲＯＭ４２には、ＣＰＵ４１が実行する各種制御プログラム、機能プログラムや設定データが格納されている。機能プログラムには、計測された地磁場データを取得して磁極方向を求め、時針２及び影針５により北向きを表示させる方位表示処理プログラムなどが含まれている。ＣＰＵ４１は、必要に応じて機能プログラムや設定データを読み出し、ＲＡＭ４３に展開して実行する。
ＲＡＭ４３は、ＣＰＵ４１に作業用のメモリ空間を提供する。ＲＡＭ４３は、制御プログラムや機能プログラムの実行により取得された値、設定や算出された値を一時的に記憶する。
【００２１】
秒針駆動部３４は、ＣＰＵ４１からの駆動制御信号に応じ、輪列機構２４に所定角度の回転を与えて秒針４を回転移動させる。本実施形態のアナログ電子時計１では、秒針駆動部３４による１ステップ分の駆動動作により、秒針４は、６度回転する。時刻表示状態では、秒針駆動部３４は、１秒に１回動作し、６０秒（１分）で秒針４を文字盤１１上で一周移動させる。
【００２２】
分針駆動部３３は、ＣＰＵ４１からの駆動制御信号に応じ、輪列機構２３に所定角度の回転を与えて分針３を回転移動させる。本実施形態のアナログ電子時計１では、分針駆動部３３による１ステップの駆動動作により、分針３は、１度回転する。時刻表示状態では、分針駆動部３３は、１０秒に一回動作し、３６００秒（１時間）で分針３を文字盤１１上で一周移動させる。
【００２３】
時針駆動部３２は、ＣＰＵ４１からの駆動制御信号に応じ、輪列機構２２に所定角度の回転を与えて時針２を回転移動させる。本実施形態のアナログ電子時計１では、時針駆動部３２による１ステップの駆動動作により、時針２は、１度回転する。時刻表示状態では、時針駆動部３２は、２分に一回動作し、７２０分（１２時間）で時針２を文字盤１１上で一周移動させる。
【００２４】
日車駆動部３６は、ＣＰＵ４１からの駆動制御信号に応じ、輪列機構２６に所定角度の回転を与えて日車６を回転移動させる。本実施形態のアナログ電子時計１では、ＣＰＵ４１は、日付が変化するタイミングで所定ステップ数連続的に日車６を回転移動させることで、日車６上の日付標識を一日分移動させる。
【００２５】
影針駆動部３５は、ＣＰＵ４１からの駆動制御信号に応じ、輪列機構２２に所定角度の回転を与えて影針５を回転移動させる。本実施形態のアナログ電子時計１では、影針駆動部３５による１ステップの駆動動作により、影針５は、１度回転する。通常の時刻表示状態では、影針駆動部３５は、２分に一回動作し、影針５と時針２が指し示す位置を同一位置に保つ。
【００２６】
電源部５１は、ＣＰＵ４１の駆動に必要な電力を供給する。この電源部５１は、特に限られないが、長期間継続的に電力を供給可能な構成であり、例えば、ソーラー発電を行う太陽電池と、二次電池とを組み合わせたものである。
【００２７】
電波受信部５４は、アンテナ５３を用いて時刻情報を含む長波長帯の標準電波を受信して復調する受信回路である。電波受信部５４で復調された信号は、ＣＰＵ４１に出力されて、ＣＰＵ４１により実行される処理で時刻情報が解読、取得される。ここで、本実施形態のアナログ電子時計１では、標準電波を受信する際には、指針２〜５による表示を受信表示モードに移行させる。具体的な動作については、後述する。
【００２８】
方位センサ５５は、例えば、磁気抵抗素子を用いて地磁場の方向を計測するセンサである。この方位センサ５５は、文字盤１１と平行な面内で直交する２軸方向、又は、予め定められた直交する３軸方向の磁場強度を各々計測する。
【００２９】
操作部５２は、押しボタンスイッチＢ１〜Ｂ３、及び、リューズＣ１の入力操作を電気信号に変換し、入力信号としてＣＰＵ４１へ出力する。例えば、押しボタンスイッチＢ１が押下されると、ＣＰＵ４１は、アナログ電子時計１を方位表示状態に変更して、方位センサ５５に測定させた地磁場データに基づいて時針２及び影針５に方位を表示させる。押しボタンスイッチＢ２が押下されると、ＣＰＵ４１は、影針５に曜日を表示させる。また、押しボタンスイッチＢ３が押下されると、ＣＰＵ４１は、時刻表示状態から順番にアナログ電子時計１が実行可能な各表示モードに変更させていく。リューズＣ１が操作されると、ＣＰＵ４１は、リューズＣ１の回転に応じて指針２〜５、及び、日車６を移動させながら、計時回路４６の時刻データを変更したり、アラーム時刻の設定を行ったりする。
【００３０】
次に、本実施形態のアナログ電子時計１における指針の動作について説明する。
【００３１】
図４は、本実施形態のアナログ電子時計１において実行される表示処理のＣＰＵ４１による制御手順を示すフローチャートである。
【００３２】
この表示処理は、アナログ電子時計１の電源がオンされると共に起動され、アナログ電子時計１の表示が維持されている間継続的に実行される処理である。表示処理が起動されると、先ず、ＣＰＵ４１は、時刻表示に係る運針タイミングであるか否かを判別する（ステップＳ１１）。時刻運針のタイミングではないと判別された場合には（ステップＳ１１で“ＮＯ”）、ＣＰＵ４１の処理は、ステップＳ１５に移行する。
【００３３】
時刻運針のタイミングであると判別された場合には（ステップＳ１１で“ＹＥＳ”）、ＣＰＵ４１は、次に、現在のバッテリ（二次電池）の蓄電状態が閾値レベルを下回って充電不足状態になっているか否かを判別する（ステップＳ１２）。充電不足状態ではないと判別された場合には（ステップＳ１２で“ＮＯ”）、ＣＰＵ４１は、時刻指針２〜４を現在時刻に対応する位置に移動させるための駆動制御信号を時針駆動部３２、分針駆動部３３、及び、秒針駆動部３４に出力すると共に、影針５が時針２と同一の位置を指し示すように影針駆動部３５に駆動制御信号を出力する（ステップＳ１３）。それから、ＣＰＵ４１の処理は、ステップＳ１５に移行する。
【００３４】
一方、充電不足状態であると判別された場合には（ステップＳ１２で“ＹＥＳ”）、ＣＰＵ４１は、時刻指針２〜４を現在時刻に対応する位置に移動させるための駆動制御信号を出力すると共に、影針５が時針２の位置に対して−６度（反時計回りに６度）の位置を指し示すように影針駆動部３５に駆動制御信号を出力する（ステップＳ１４）。それから、ＣＰＵ４１の処理は、ステップＳ１５に移行する。
【００３５】
ステップＳ１１、Ｓ１３、又は、Ｓ１４の処理からステップＳ１５の処理に移行すると、ＣＰＵ４１は、表示モードの変更がなされたか否かを判別する。具体的には、ＣＰＵ４１は、操作部５２により表示モードの変更に係る入力操作が受け付けられたか、又は、表示モードの変更を伴うアナログ電子時計１の動作状態となったかを検出する。表示モードの変更がなされていないと判別された場合には（ステップＳ１５で“ＮＯ”）、ＣＰＵ４１の処理は、ステップＳ１１に戻る。
【００３６】
表示モードの変更がなされたと判別された場合には（ステップＳ１５で“ＹＥＳ”）、続いて、ＣＰＵ４１は、何れの表示モードへの変更であるかを判別する（ステップＳ１６）。受信表示モードであると判別された場合には、ＣＰＵ４１は、後述する受信表示処理を呼び出して実行する（ステップＳ１７）。曜日表示モードであると判別された場合には、ＣＰＵ４１は、後述する曜日表示処理を呼び出して実行する（ステップＳ１８）。方位表示モードであると判別された場合には、ＣＰＵ４１は、後述する方位表示処理を呼び出して実行する（ステップＳ１９）。ステップＳ１７〜Ｓ１９の何れかの処理が呼び出され、当該処理が終了すると、ＣＰＵ４１の処理は、ステップＳ１１に戻る。
【００３７】
図５は、ステップＳ１２〜１４の処理に係る時刻表示状態の指針の表示例を示す平面図である。
【００３８】
ステップＳ１２の判別処理で充電不足ではないと判別された場合には、図５（ａ）に示すように、ステップＳ１３の処理により、影針５は、時針２と同位置に移動され、時針２の陰でユーザからは見えない状態となる。一方、ステップＳ１２の判別処理で充電不足であると判別された場合には、図５（ｂ）に示すように、ステップＳ１４の処理により、影針５は、時針２に対して−６度の位置に移動される。その結果、ユーザから影針５が視認可能となる。
【００３９】
図５（ｃ）は、この充電不足状態の表示に係る変形例を示す平面図である。
この変形例では、影針５を時針２に対して−１２度の位置に移動させている。この時針２と影針５との間の相対角度差を残りの蓄電量に応じて変化させることで、アナログ電子時計１において、ユーザにバッテリ残量を報知することを可能としている。
【００４０】
図６は、表示処理で呼び出される受信表示処理のＣＰＵ４１による制御手順を示すフローチャートである。
【００４１】
ＣＰＵ４１の処理がステップＳ１７に移行して、受信表示処理が呼び出されると、ＣＰＵ４１は、先ず、秒針４を１２時の位置に移動させる（ステップＳ１７１）。また、ＣＰＵ４１は、影針５を受信標識「Ｒ／Ｃ」の位置、即ち、５分の位置に移動させる（ステップＳ１７２）。
【００４２】
次いで、ＣＰＵ４１は、電波受信部５４に標準電波の受信を開始させる（ステップＳ１７３）。ＣＰＵ４１は、標準電波の受信中に時刻表示に係る時針２及び分針３の運針タイミングが来た場合には、時針駆動部３２及び分針駆動部３３に駆動制御信号を出力しながら標準電波の受信処理を継続し、時刻情報を取得する（ステップＳ１７４）。時刻情報の取得が終了すると、ＣＰＵ４１は、受信表示処理を抜けて、表示処理に戻る。
なお、この場合、次の運針タイミングで、秒針４及び影針５を通常の時刻表示位置に戻すための駆動制御信号を出力することになるが、秒針４及び影針５を通常の時刻表示位置に戻す処理を行ってから受信表示処理を終了することとしても良い。
【００４３】
図７（ａ）には、受信表示処理の実行中における指針２〜５による表示例を示す。
この例では、秒針４は、１２時の位置にあり、影針５は、情報標識「Ｒ／Ｃ」が設けられた５分（１時）の位置にあり、時針２及び分針３は、通常の時刻表示位置、例えば、ここでは、２時２０分の位置を指し示している。このような表示により、時刻の表示を維持しつつ、また、秒針４を停止させることで受信ノイズの発生を抑えながら、標準電波の受信中であることをユーザに報知することができる。
【００４４】
図８は、受信処理で呼び出されて実行される曜日表示処理のＣＰＵ４１による制御手順を示すフローチャートである。
【００４５】
ＣＰＵ４１の処理がステップＳ１８に移行して、曜日表示処理が呼び出されると、ＣＰＵ４１は、影針駆動部３５に駆動制御信号を出力して影針５を現在の曜日位置に移動させる（ステップＳ１８１）。また、ＣＰＵ４１は、曜日表示処理を開始してからの経過時間の計数を開始する。
【００４６】
ＣＰＵ４１は、時刻運針のタイミングであるか否かを判別する（ステップＳ１８２）。時刻運針のタイミングではないと判別された場合には（ステップＳ１８２で“ＮＯ”）、ＣＰＵ４１の処理は、ステップＳ１８４に移行する。時刻運針のタイミングであると判別された場合には（ステップＳ１８２で“ＹＥＳ”）、ＣＰＵ４１は、時刻指針２〜４をそれぞれ現在時刻に対応する位置に移動させるための駆動制御信号を時針駆動部３２、分針駆動部３３、及び、秒針駆動部３４に出力し（ステップＳ１８３）、その後、処理をステップＳ１８４に移行させる。
【００４７】
ステップＳ１８４の処理に移行すると、ＣＰＵ４１は、曜日表示処理を開始してから予め設定された所定時間が経過したか否かを判別する。未だ所定時間が経過していないと判別された場合には（ステップＳ１８４で“ＮＯ”）、ＣＰＵ４１の処理は、ステップＳ１８２に戻る。所定時間が経過したと判別された場合には（ステップＳ１８４で“ＹＥＳ”）、ＣＰＵ４１は、曜日表示処理を終了して、表示処理に戻る。
【００４８】
図７（ｂ）には、曜日表示処理における各指針２〜５による表示状態の具体例を示す。
【００４９】
この例では、影針５は、水曜日を示す情報標識「ＷＥＤ」が設けられた１５分（３時）位置に移動され、時刻指針２〜４により現在時刻を示す２時２０分１０秒の位置が指し示されている。このように、押しボタンスイッチＢ２をユーザが押下した場合など、所定のタイミングでのみ影針５に曜日表示を行わせることで、ユーザは、容易に影針５が曜日表示を行っていることを認識して曜日を知得することが出来る。
【００５０】
図９は、表示処理で呼び出されて実行される方位表示処理のＣＰＵ４１による制御手順を示すフローチャートである。
【００５１】
ＣＰＵ４１の処理がステップＳ１９に移行して、方位表示処理が呼び出されると、ＣＰＵ４１は、先ず、時刻指針２〜４を全て１２時の位置に移動させる（ステップＳ１９１）と共に、影針５を６時の位置に移動させる（ステップＳ１９２）ための駆動制御信号を、時針駆動部３２、分針駆動部３３、秒針駆動部３４、及び、影針駆動部３５に出力する。このとき、ＣＰＵ４１は、方位表示処理が開始されてからの経過時間の計数を開始する。
【００５２】
次に、ＣＰＵ４１は、方位センサ５５から方位計測値を取得する（ステップＳ１９３）。ＣＰＵ４１は、取得された計測値から現在のアナログ電子時計１の姿勢において文字盤１１上で北向きを示す位置を算出する（ステップＳ１９４）。ＣＰＵ４１は、この算出結果に基づき、時針２を南向き方向、影針５を北向き方向にそれぞれ移動させるための駆動制御信号を時針駆動部３２及び影針駆動部３５に出力する（ステップＳ１９５）。
【００５３】
ＣＰＵ４１は、方位表示処理が開始されてから、所定時間が経過したか否かを判別する（ステップＳ１９６）。未だ所定時間が経過していないと判別された場合には（ステップＳ１９６で“ＮＯ”）、ＣＰＵ４１の処理は、ステップＳ１９３に戻る。所定時間が経過したと判別された場合には（ステップＳ１９６で“ＹＥＳ”）、ＣＰＵ４１は、方位表示処理を終了して、表示処理に戻る。
【００５４】
図７（ｃ）には、方位表示処理における指針２〜５による表示状態の具体例を示す。
【００５５】
方位表示状態では、分針３及び秒針４は、１２時位置に維持される。一方、時針２及び影針５は、常に１８０度反対向きを維持しながら逐次算出される北向き方向に従って回転移動される。ここでは、影針５によって１１時方向が北向きであることが示され、時針２が指し示す５時方向が南向きとなる。
【００５６】
以上のように、本実施形態のアナログ電子時計１は、時針２と同一回転軸の周りを回転し、時針２と同一形状の影針５を備え、影針５に種々の機能に係る表示を行わせない場合には、時針２と影針５とが同一位置を指し示すように影針５の回転動作を制御することで、影針５を時針２の下部に隠す構成となっている。従って、ユーザは、影針５の配置から時刻情報以外の情報を読み取る必要があるか否かについて意識する必要が無い。
【００５７】
また、表示に用いられていない不要な指針を表出させないので、指針による表示画面をシンプルに構成することが出来る。
【００５８】
また、通常状態では常に時刻表示に用いられている時針２の下部に影針５を隠す構成とすることで、隠す側の指針が更に表示不要となる事態を避けることが出来ると共に、一番動作頻度の低い時針２により覆い隠させることで、影針５の動作に要する電力消費を低減させることができる。
【００５９】
また、押しボタンスイッチＢ１〜Ｂ３の操作に基づいて対応する機能に係る表示を影針５に行わせると共に、所定時間が経過した後には、自動的に影針５が再び時針２の陰に隠れるように移動させる構成とすることで、表示する必要の無くなった情報に係る指針をいつまでも表出させることを避けてシンプルな表示態様を維持することが出来る。
【００６０】
また、影針５の少なくとも先端部分を時針２とは異なる色に彩色しておくことで、影針５が表出されたときにユーザに容易に気づかせることが出来る。また、同一又は類似形状の時針２と影針５とが表示する情報を容易に判別することが出来る。
【００６１】
次に、アナログ電子時計１の変形例について説明する。
［変形例１］
図１０（ａ）は、アナログ電子時計１の変形例１を示す平面図である。
このアナログ電子時計１では、一本の指針（時針２）に対し、二本の影針５、５ａが設けられている。これらの影針５、５ａは、それぞれ異なるステッピングモータ及び輪列機構により独立に駆動される。従って、影針５、５ａにより２つの異なる情報を必要に応じて単独で、或いは、同時に表示させることが可能となる。
【００６２】
［変形例２］
図１０（ｂ）は、アナログ電子時計１の変形例２を示す平面図である。
このアナログ電子時計１では、時針２の陰に隠される影針５と、分針３の陰に隠される影針５ｂの二本の影針が備えられている。このような構成とすることで、異なる長さの影針が必要な場合に対応することができる。また、一周３６０ステップの時針２と一周６０ステップの秒針４とにそれぞれ対応する影針を備える構成とすることで、異なるステップ数の影針により各種機能に係る表示を行わせることが出来る。
【００６３】
［変形例３］
図１０（ｃ）は、アナログ電子時計１の変形例３を示す平面図である。
このアナログ電子時計１は、時刻指針２〜４とは異なる位置に設けられた回転軸に対して小窓１１１の範囲内で回動する２４時間針７と、影針５ｃとを備える。影針５ｃは、２４時間針７と同一形状であり、同じ位置を指し示すことで２４時間針７の下部に完全に隠される。
【００６４】
以上の変形例１〜３に示すように、本発明の実施形態のアナログ電子時計１は、複数本の影針を備えることとすることができる。また、この場合、影針を覆い隠す指針は、各々異なってもよいし、同一の指針が複数本の影針を覆い隠しても良い。このように、複数本の影針を設けることで、必要な場合にのみ、更に多くの情報を同時に表示させることが出来、一方、必要ない場合には、不要な指針を全て時刻指針のように常に動作する指針の陰に隠しておくことが出来る。従って、表示可能な情報量に関わらず、通常時の表示をシンプル且つ見易くすることが出来る。
【００６５】
また、影針と、この影針を覆い隠す指針とが同一回転軸であれば、全ての指針が同一回転軸に対して回転する必要は無い。従って、輪列機構などの内部構成の配置上あまり多くの指針を一の回転軸に対して回転可能に配置することが出来ない場合であっても、同一の回転軸に対して回転可能な指針及び影針を設けて種々の機能に係る表示を行わせることが出来る。
【００６６】
なお、本発明は、上記実施の形態に限られるものではなく、様々な変更が可能である。
例えば、上記実施の形態では、時針２と影針５が同一の形状であるものとして説明したが、影針５が時針２の下部に隠れるのであれば、同一形状である必要は無い。ここで、影針５は、時針２により全体が完全に隠される場合だけではなく、指針としての機能を発揮しない程度に略全体が隠されていればよい。また、影針５の形状を時針２の形状と異ならせることで、影針５の先端部分を時針２とは異なる色に彩色せずに両指針を判別出来るようにしても良い。
【００６７】
また、上記実施の形態では、時針２、分針３、秒針４、２４時間針７により隠される影針５について例を挙げて説明したが、影針５は、これ以外の指針に隠されるものであっても良い。例えば、現在表示中の機能を示すモード表示針を常に表示させておくこととして、影針をこのモード表示針に隠されるものとしても良い。
【００６８】
また、上記実施の形態では、全ての指針が独立駆動されるものとして説明したが、影針５とこれを覆い隠す時針２とが別個に駆動されれば、その他の指針が独立駆動される必要は無い。例えば、分針３が時針２に連動して駆動されるアナログ電子時計であっても良い。
【００６９】
また、アナログ電子時計１は、腕時計に限られず、懐中時計や置時計などの他の時計であっても良い。
その他、上記実施の形態で説明した数値、構成、配置や制御手順などの具体的な内容は、本発明の趣旨を逸脱しない範囲において適宜変更可能である。
【００７０】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００７１】
［付記］
＜請求項１＞
第１指針と、
前記第１指針と同一軸に対して回転し、同一位置を指し示すことで当該第１指針の下部に覆い隠される形状を有する第２指針と、
前記第１指針及び前記第２指針の回動を各々独立に制御する回動制御手段と
を備え、
前記回動制御手段は、前記第２指針により所定の機能に係る表示を行わせない場合には、前記第１指針の移動タイミングに対応して前記第２指針を動作させて、当該第２指針に前記第１指針と同一位置を指し示させる
ことを特徴とするアナログ電子時計。
＜請求項２＞
前記第１指針は、それぞれ異なる時刻単位で時刻を表示するための複数の時刻指針のうち、最も大きい時刻単位で時刻を表示するための指針である
ことを特徴とする請求項１記載のアナログ電子時計。
＜請求項３＞
前記第１指針と前記第２指針の組み合わせを複数備えることを特徴とする請求項１記載のアナログ電子時計。
＜請求項４＞
ユーザ操作を受け付ける操作手段を備え、
前記回動制御手段は、前記操作手段への入力操作に基づいて前記第２指針に前記所定の機能に係る表示を行わせた後、所定の時間が経過すると、当該第２指針を前記第１指針と同一位置へ移動させる
ことを特徴とする請求項１〜３の何れか一項に記載のアナログ電子時計。
＜請求項５＞
前記第２指針は、少なくとも先端部分の所定範囲が前記第１指針とは異なる色に彩色されていることを特徴とする請求項１〜４の何れか一項に記載のアナログ電子時計。
【符号の説明】
【００７２】
１     アナログ電子時計
２     時針
３     分針
４     秒針
５     影針
５ａ   影針
５ｂ   影針
５ｃ   影針
６     日車
７     ２４時間針
１０   ケーシング
１１   文字盤
１３   ベゼル
１４ａ バンド
１４ｂ バンド
２２   輪列機構
２３   輪列機構
２４   輪列機構
２５   輪列機構
２６   輪列機構
３２   時針駆動部
３３   分針駆動部
３４   秒針駆動部
３５   影針駆動部
３６   日車駆動部
４１   ＣＰＵ
４２   ＲＯＭ
４３   ＲＡＭ
４４   発振回路
４５   分周回路
４６   計時回路
５１   電源部
５２   操作部
５３   アンテナ
５４   電波受信部
５５   方位センサ
１１０ 開口部
１１１ 小窓
Ｂ１〜Ｂ３    押しボタンスイッチ
Ｃ１   リューズ
【図１】
2014059267.tif 000003
【図２】
2014059267.tif 000004
【図３】
2014059267.tif 000005
【図４】
2014059267.tif 000006
【図５】
2014059267.tif 000007
【図６】
2014059267.tif 000008
【図７】
2014059267.tif 000009
【図８】
2014059267.tif 000010
【図９】
2014059267.tif 000011
【図１０】
2014059267.tif 000012